(57)【特許請求の範囲】
【請求項１】
ハウジングに、
燃料噴射用の噴孔が形成され加圧された燃料が供給されるノズル室と、
加圧された燃料が供給され、前記噴孔の開閉を制御するノズル弁に閉弁方向の圧力を作用させるノズル弁制御室と、
前記ノズル弁制御室と低圧源との連通と遮断とを切替える中間弁が収容されている中間弁室と、
加圧された燃料が供給され、前記中間弁に前記ノズル弁制御室と前記低圧源とを遮断させる方向に圧力を作用させる中間弁制御室と、
アクチュエータにより駆動され、前記中間弁制御室と低圧源との連通と遮断とを切替える制御弁が収容させている制御弁室と、
前記ノズル弁制御室および前記中間弁制御室の燃料を低圧源に排出する排出通路と、を備え、
前記ハウジングの長手方向に向けて１列に、前記制御弁室、前記中間弁制御室、前記中間弁室、前記ノズル弁制御室の順序に配置され、前記ハウジングの内部に設けられている燃料噴射弁であって、
前記排出通路は、前記ノズル弁制御室の燃料を低圧源に排出する第１排出通路と、前記中間弁制御室の燃料を低圧源に排出する第２排出通路とを備え、
前記制御弁を駆動する前記アクチュエータは、前記ハウジングにおいて、前記制御弁室の前記中間弁制御室とは反対側に収容されており、
前記ハウジングにおいて、前記アクチュエータの前記制御弁室とは反対側には、前記第１排出通路および前記第２排出通路のそれぞれの通路に排出された前記ノズル弁制御室および前記中間弁制御室の燃料を前記ハウジングの外部に排出する排出ポートが形成されており、
前記第１排出通路および前記第２排出通路は、前記アクチュエータを横断する断面において、軸方向に独立して形成されていることを特徴とする燃料噴射弁。
【請求項２】
前記第１排出通路は、前記ハウジング内で、かつ前記制御弁室よりも下流側で前記第２排出通路と併合するように形成されていることを特徴とする請求項１に記載の燃料噴射弁。
【請求項３】
前記第１排出通路と前記第２排出通路との併合箇所と前記制御弁室との間の前記第２排出通路の通路途中、または前記併合箇所と前記中間弁室との間の前記第１排出通路の通路途中には、
前記第１排出通路および前記第２排出通路の通路径よりも大きい径を有する容積室が形成されていることを特徴とする請求項２に記載の燃料噴射弁。
【請求項４】
前記第１排出通路と前記第２排出通路との併合箇所と前記制御弁室との間の前記第２排出通路の通路途中、または前記併合箇所と前記中間弁室との間の前記第１排出通路の通路途中には、
前記第１排出通路または前記第２排出通路の通路径よりも小さい径を有する絞りが形成されていることを特徴とする請求項２または請求項３に記載の燃料噴射弁。
【請求項５】
前記ハウジングと接続される排出通路アダプタを備え、この排出通路アダプタ内にて、前記第１排出通路および前記第２排出通路を併合することを特徴とする請求項１に記載の燃料噴射弁。
【請求項６】
前記ハウジングは、前記制御弁を有する棒状のホルダ部と、前記中間弁および前記ノズル弁を有する棒状のノズル部からなり、
前記ホルダ部および前記ノズル部には、加圧された燃料を前記ノズル室および前記中間弁制御室に供給する高圧通路および前記第１排出通路がこれらの部材を貫通するように形成されており、
前記ホルダ部には、前記第２排出通路、および前記ノズル部と当接する側の端面に前記制御弁室が形成されており、
前記制御弁室は、その中心軸が前記ホルダ部の端面の中心軸から一方側にずれた位置に形成され、
前記ホルダ部の前記ノズル部と当接する側の端面に形成される前記高圧通路の開口部は、前記ホルダ部の中心軸と前記制御弁室の中心軸とを結んだ線上付近で、かつ、前記ずれた位置の他方側に、前記高圧通路の前記開口部の中心が来るように形成されていることを特徴とする請求項１から請求項５のいずれか一項に記載の燃料噴射弁。
【請求項７】
前記ホルダ部に形成されている前記第１排出通路および前記第２排出通路の前記ノズル部側の端面に形成されているそれぞれの開口部は、前記線を対称線として線対称に形成されていることを特徴とする請求項６に記載の燃料噴射弁。
【請求項８】
前記ホルダ部に形成されている前記第１排出通路および前記第２排出通路の前記ノズル部側の端面に形成されているそれぞれの開口部は、前記線によって分割されるいずれか一方の領域に形成されていることを特徴とする請求項６に記載の燃料噴射弁。
【発明の詳細な説明】
【技術分野】
【０００１】
本発明は、燃料噴射弁に関する。
【背景技術】
【０００２】
従来より、加圧された燃料が供給されてノズル弁の背圧を発生させる圧力制御室を備え、該圧力制御室の圧力を増減することでノズル弁の着座と離座とを切替える形式の燃料噴射弁が知られている（特許文献１）。
【０００３】
このものでは、該圧力制御室の圧力を低圧源に開放するための開放通路と、該開放通路の途中部分をなす制御弁室とが形成され、制御弁室に配設された制御弁が圧力制御室と低圧源との連通と遮断とを切替えることで、圧力制御室の圧力を増減する。制御弁は、圧力制御室側に通じる制御弁室のポートの外周部のシートに着座するようになっている。制御弁には前記ポートの燃料の圧力が開弁方向に作用し、一方、閉弁方向にはスプリング力が作用している。そして、ソレノイドが制御弁と一体のアーマチャを吸引すると、スプリング力に抗して制御弁がリフトする。
【０００４】
ここで、スプリング力は、ソレノイド非通電（オフ）時に制御弁を閉弁状態に保持し得る大きさに設定され、スプリング力に応じて必要なソレノイドの吸引力が決まることになる。
【特許文献１】特開平０８−４９６２０号公報
【発明の開示】
【発明が解決しようとする課題】
【０００５】
上記特許文献１に開示されている上記制御弁は、上述したようにソレノイドにより直接駆動される構造となっており、前記ポートの燃料の圧力は非常に高いものとなっているため、スプリング力をソレノイド非通電（オフ）時に制御弁を閉弁状態に保持し得る程度の大きさとする必要があった。このため、ソレノイドが発生する吸引力も大きくせざるを得ず、アクチュエータの小型化を妨げていた。
【０００６】
これに対し、出願人は、アクチュエータの小型化を達成すべく、上記圧力制御室を制御する上記制御弁を、特許文献１に開示されているようにソレノイドにより直接駆動形式とせず、油圧駆動形式のものとし、この制御弁に作用する油圧を制御する別の制御弁を設けた燃料噴射弁を出願した（特願２００５−６７２７２号）。
【０００７】
出願人より出願された上記燃料噴射弁を詳細に説明する。上記燃料噴射弁は、第１圧力制御室、第１制御弁、第２圧力制御室、第２制御弁（電磁弁）を有する。そして、第１制御弁は、第１弁室に収容され、第２制御弁は、第２弁室に収容される。
【０００８】
上記各室は、燃料噴射弁のハウジングの長手方向（軸方向）に向けて１列に、第２弁室、第２圧力制御室、第１弁室、第１圧力制御室の順序に配置されている。ハウジングには、低圧源に接続される吐出開口部が設けられる。
【０００９】
第１圧力制御室は、前記した圧力制御室に該当する。第１制御弁は、第１圧力制御室の圧力を調整する。第２制御弁は、第２圧力制御室の圧力を調整する。第１圧力制御室の圧力の調整により、ノズル弁の動作を制御する。第２圧力制御室の圧力の調整により、第１制御弁の動作を制御する。
【００１０】
第１弁室、および、第２弁室の各室と吐出開口部とを接続する排出通路が設けられる。この排出通路は、第１弁室と第２弁室とを接続する通路、および、この通路と吐出開口部とを接続する通路とを有し、ハウジングの内部に設けられる。具体的には、ハウジングの長手方向（軸方向）に、吐出開口部と接続される、１本の主排出通路が形成される。この主排出通路と、第１弁室、および、第２弁室とは、各々に、ハウジングの径方向に向けて延設される第１副排出通路、第２副排出通路によって接続される。
【００１１】
上記した燃料噴射弁の噴射停止状態から噴射開始への動作は、以下のように行われる。第２制御弁が第２圧力制御室と第２弁室とを連通すると、第２副排出通路、主排出通路を通じて低圧源に排出され、第２弁室の圧力が低下する。第１制御弁が第１圧力制御室と第１弁室とを連通すると、第１副排出通路、主排出通路を通じて低圧源に排出され、第１弁室の圧力が低下する。第１弁室の圧力低下に伴って、第１圧力制御室の圧が低下して、ノズル弁は離座する方向に動作し、噴孔から燃料が噴射される。噴射中から噴射停止への動作は、第２制御弁の上記とは逆方向の動作により行われる。この噴射有りと噴射無しの間欠動作は、短時間に繰り返し行われる。
【００１２】
上記燃料噴射弁は、先に動作する第２制御弁（電磁弁）と、この第２制御弁の切替動作に従って動作開始する第１制御弁とを備え、噴射有り、無しの短時間サイクルの噴射動作が行われる、上記燃料噴射弁においては、以下のような現象が発生する。
【００１３】
つまり、第１圧力制御室内の燃料が低圧側へ排出されるタイミングと、第２圧力制御室内の燃料が低圧側へ排出されるタイミングとが必然的にずれる。このタイミングずれによって、上記燃料噴射弁は、第１、第２制御弁が収容されている各弁室が上記主排出通路および上記副排出通路を介して接続されている構造となっているため、第２制御弁が開弁すると、第１、第２圧力制御室内の高圧燃料が、上記主・副排出通路を通じて、第２制御弁が収容されている弁室に流入してしまう。この高圧燃料の流入により、第２制御弁が収容されている弁室の圧力が高まってしまい、第２制御弁の閉弁特性が低下してしまう。
【００１４】
また、上記各弁室が上記主・副排出通路を介して接続されていることから、第１制御弁が収容されている弁室にも第１、第２圧力制御室内の高圧燃料が流入するので、第１制御弁の閉弁特性も低下してしまう。
【００１５】
すなわち、排出通路内には、第１制御弁、第２制御弁の各動作に起因した脈動圧が発生している。この脈動圧は、互いに、第１制御弁、第２制御弁の動作特性（閉弁特性）を不安定にさせており、問題である。
【００１６】
上記した現象は、以下の理由により、その問題を顕在化させている。１列に、第２弁室、第２圧力制御室、第１弁室、第１圧力制御室の順序に配置する構成のもと、排出通路は、第１弁室と第２弁室とを、両室を最短距離にて連通させるように通路配設させて、常時接続している。第１弁室と第２弁室とを接続する排出通路の長さは、短く設定されており、この短い排出通路の総通路容積が小さく設定されている。
【００１７】
この流路長さ、および、通路容積の設定は、第１弁室、および、第２弁室へ脈動圧の伝達強度を高める結果となって、問題を顕在化させている。
【００１８】
なお、排出通路の径を大きくして通路容積を大きく設定する手法が考えられるが、この径拡大は、ハウジングの径を拡大させてしまい、燃料噴射弁のエンジンへの搭載上において、問題となる。
【００１９】
本発明は、上記の点に鑑みなされたものであり、その目的は、燃料噴射弁の圧力制御室の圧力制御を行う制御弁の閉弁特性の低下を抑制することができる燃料噴射弁を提供することにある。
【課題を解決するための手段】
【００２０】
上記目的を達成するために、請求項１に記載の燃料噴射弁は、ハウジングに、燃料噴射用の噴孔が形成され加圧された燃料が供給されるノズル室と、加圧された燃料が供給され、噴孔の開閉を制御するノズル弁に閉弁方向の圧力を作用させるノズル弁制御室と、ノズル弁制御室と低圧源との連通と遮断とを切替える中間弁が収容されている中間弁室と、加圧された燃料が供給され、中間弁にノズル弁制御室と低圧源とを遮断させる方向に圧力を作用させる中間弁制御室と、アクチュエータにより駆動され、中間弁制御室と低圧源との連通と遮断とを切替える制御弁が収容させている制御弁室と、ノズル弁制御室および中間弁制御室の燃料を低圧源に排出する排出通路と、を備え、
ハウジングの長手方向に向けて１列に、制御弁室、中間弁制御室、中間弁室、ノズル弁制御室の順序に配置され、ハウジングの内部に設けられている燃料噴射弁であって、
排出通路は、ノズル弁制御室の燃料を低圧源に排出する第１排出通路と、中間弁制御室の燃料を低圧源に排出する第２排出通路とを備え、制御弁を駆動するアクチュエータは、ハウジングにおいて、制御弁室の中間弁制御室とは反対側に収容されており、ハウジングにおいて、アクチュエータの制御弁室とは反対側には、第１排出通路および第２排出通路のそれぞれの通路に排出されたノズル弁制御室および中間弁制御室の燃料をハウジングの外部に排出する排出ポートが形成されており、第１排出通路および第２排出通路は、アクチュエータを横断する断面において、軸方向に独立して形成されていることを特徴としている。
【００２１】
この構成によれば、上記制御室には、中間弁制御室以外の燃料を流入させないようにすることができる、もしくは、上記制御室への中間弁制御室以外の燃料圧力の影響を低くすることができる。
【００２２】
また、上記中間弁制御室には、ノズル弁制御室以外の燃料を流入させないようにすることができる、もしくは、上記中間弁制御室へのノズル弁制御室以外の燃料圧力の影響を低くすることができる。
【００２３】
これにより、制御弁室に収容されている制御弁、および中間弁室に収容されている中間弁の閉弁特性の低下を抑制することができる。
【００２４】
請求項２に記載の燃料噴射弁では、第１排出通路は、ハウジング内で、かつ制御弁室よりも下流側で第２排出通路と併合するように形成されていることを特徴としている。
【００２５】
この構成によれば、中間弁制御室およびノズル弁制御室の燃料を低圧源としての燃料タンクに戻すための配管が燃料噴射弁一つにつき一つ設ければよいので、燃料噴射弁と燃料タンクとの間の配管が複雑になることを防止できる。
【００２６】
請求項３に記載の燃料噴射弁では、第１排出通路と第２排出通路との併合箇所と制御弁室との間の第２排出通路の通路途中、または併合箇所と中間弁室との間の第１排出通路の通路途中には、第１排出通路および第２排出通路の通路径よりも大きい径を有する容積室が形成されていることを特徴としている。
【００２７】
この構成によれば、容積室により、第１排出通路の圧力が第２排出通路を介して制御弁室に及ぼす影響を低減することができる。
【００２８】
請求項４に記載の燃料噴射弁では、第１排出通路と第２排出通路との併合箇所と制御弁室との間の第２排出通路の通路途中、または併合箇所と中間弁室との間の第１排出通路の通路途中には、第１排出通路または第２排出通路の通路径よりも小さい径を有する絞りが形成されていることを特徴としている。
【００２９】
請求項３に記載されている容積室に代えて、第１、第２排出通路に、これらの通路径よりも小さい径を有する絞りを形成しても良い。
【００３０】
請求項５に記載の燃料噴射弁では、ハウジングと接続される排出通路アダプタを備え、この排出通路アダプタ内にて、第１排出通路および第２排出通路を併合することを特徴としている。
【００３１】
この構成によれば、中間弁室から制御弁室までの通路の長さを可能な限り長くすることができるので、第１排出通路内の圧力が第２排出通路を介して制御弁室に及ぼす影響や、第２排出通路内の圧力が第１排出通路を介して中間弁室に及ぼす影響を可能な限り排除することができる。また、排出通路アダプタにて第１、第２排出通路を併合しているため、燃料噴射弁から燃料タンクへ燃料を還流する配管の数が増加することを抑制することができる。
【００３２】
請求項６に記載の燃料噴射弁では、ハウジングは、制御弁を有する棒状のホルダ部と、中間弁およびノズル弁を有する棒状のノズル部からなり、ホルダ部およびノズル部には、加圧された燃料をノズル室および中間弁制御室に供給する高圧通路および第１排出通路がこれらの部材を貫通するように形成されており、ホルダ部には、第２排出通路、およびノズル部と当接する側の端面に制御弁室が形成されており、
制御弁室はその中心軸がホルダ部の端面の中心軸から一方側にずれた位置に形成され、ホルダ部のノズル部と当接する側の端面に形成される高圧通路の開口部は、ホルダ部の中心軸と制御弁室の中心軸とを結んだ線上付近で、かつ、当該ずれた位置の他方側に、高圧通路の開口部の中心が来るように形成されていることを特徴としている。
【００３３】
ホルダ部およびノズル部に形成されている高圧通路には燃料噴射圧に応じた高圧の燃料が流通しているので、ホルダ部とノズル部との当接面から高圧燃料が漏れぬよう両部材同士に大きな軸力を加え、両部材の当接面同士を密着させなければならない。高圧通路の周囲には、通路を流れる燃料の圧力に応じたシール面積（ホルダ部とノズル部の両端面同士が接触する部分）が必要となる。特に、ホルダ部には、制御弁室が形成されている。前記シール面積を確保できるように、制御弁室と高圧通路の開口部の配置を定めなければならい。
【００３４】
この構成によれば、ホルダ部に制御弁室および高圧通路が形成できるとともに高圧通路の周囲にシール面積を確保することができる。
【００３５】
請求項７に記載の燃料噴射弁では、ホルダ部に形成されている第１排出通路および第２排出通路のノズル部側の端面に形成されているそれぞれの開口部は、前記線を対称線として線対称に形成されていることを特徴としている。
【００３６】
この構成によれば、制御弁室、高圧通路、第１、第２排出通路が前記線を対称線として線対称に形成されているので、ノズル部とホルダ部との端面同士を当接させたとき、高圧通路の開口部の周囲の面圧の偏りを可能な限り防ぐことができる。
【００３７】
請求項８に記載の燃料噴射弁では、ホルダ部に形成されている第１排出通路および第２排出通路のノズル部側の端面に形成されているそれぞれの開口部は、前記線によって分割されるいずれか一方の領域に形成されていることを特徴としている。
【００３８】
この構成によれば、第１排出通路および第２排出通路は、互いに近接して形成されているので、両通路をホルダ部内で併合したりするとき、ホルダ部内での両通路の取り回しが容易となる。
【発明を実施するための最良の形態】
【００３９】
（第１実施形態）
図１に本発明を適用した第１実施形態となる燃料噴射弁の断面図を示す。この図は、燃料噴射弁を構成する部品や燃料が流通する通路等を説明し、本発明の特徴を明確にするための図である。したがって、この図に基づいて燃料噴射弁を製造する場合は、構成部品の大きさや通路の取り回しを適宜変更する必要がある。
【００４０】
燃料噴射弁は、例えば、コモンレール式の燃料噴射システムを備えた内燃機関に適用され、エンジンの各気筒に１対１に対応して設けられる。そして、制御装置による制御で、所定の期間にコモンレールが供給する燃料を噴射する。
【００４１】
燃料噴射弁は、略丸棒状のハウジング１を有し、ハウジング１には、下側よりノズル弁６０、中間弁７０、および制御弁８１が設けられている。
【００４２】
ハウジング１は、ノズル弁６０と中間弁７０を有するノズル部３と、制御弁８１を有するホルダ部２よりなっている。ノズル部３は、下側よりノズルボデー７、ディスタンスピース６、およびバルブボデー５からなり、ホルダ部２は、ホルダ４よりなっている。ノズルボデー７、ディスタンスピース６、バルブボデー５、およびホルダ４は、それぞれの部材の対向端面で当接し、リテーニングナット８により互いに結合されている。ハウジング１には、内部に種々の凹所や孔が形成されて、これに構成部品が収容されるとともに、燃料の通路が形成される。
【００４３】
ノズル部３について説明する。ノズルボデー７には、ハウジング１の軸方向に縦孔３０が形成されている。この縦孔３０にノズル弁６０が収容されている。ノズル弁６０は、この縦孔３０に摺動自在に保持されている。縦孔３０の底部は、ノズルボデー７の先端部にまで達しており、縦孔３０とノズル弁６０の先端部付近との間に形成される空間がノズル室３１となっている。ノズルボデー７の先端には、ノズル室３１の室壁を貫通して噴孔２８が形成されている。ノズル室３１の室壁には、ノズル弁６０の先端部が着座するシート３３が形成されている。
【００４４】
ノズル室３１は、ディスタンスピース６、バルブボデー５、およびホルダ４に形成された高圧通路１０と連通している。高圧通路１０には、前記コモンレールからの加圧された燃料（以下、適宜、高圧燃料という）が流通している。ノズル弁６０の摺動部よりも下側、ノズル室３１に曝されている部分には、高圧燃料の圧力が作用するので、高圧燃料は、ノズル弁６０を上方すなわち離座方向に付勢する。ノズル弁６０がシート３３より離座すると、高圧燃料が噴孔２８から噴射される。
【００４５】
縦孔３０のノズル弁６０の摺動部よりも上側には、ノズル弁６０の背圧を発生させるノズル弁制御室３２が形成されている。ノズル弁制御室３２は、ディスタンスピース６を上壁とするとともに、ノズル弁６０の上端面を下壁として形成されている。更に、ノズル弁制御室３２には、第１スプリング６１が収容されている。第１スプリング６１は、常時、ノズル弁６０を下方すなわち着座方向に付勢している。更に、ノズル弁制御室３２は、高圧通路１０からの高圧燃料が流入するようになっており、ノズル弁制御室３２に流入した高圧燃料は、ノズル弁６０を下方に付勢する。
【００４６】
ノズル弁制御室３２の圧力が開弁開始圧力以下となったとき、ノズル弁６０にかかっている付勢力は、ノズル弁６０を離座方向に移動させる付勢力の方が勝り、ノズル弁６０の先端部がシート３３から離座して燃料が噴孔２８から噴射される。反対に、ノズル弁制御室３２の圧力が閉弁開始圧力以上となったとき、ノズル弁６０にかかっている付勢力は、ノズル弁６０を着座方向に移動させる付勢力の方が勝り、ノズル弁６０の先端部がシート３３に着座して噴射が停止する。
【００４７】
ノズル弁制御室３２の圧力の増減の切替えは、次の構成によりなされる。バルブボデー５には、下端部で拡径する縦孔４０が燃料噴射弁の軸方向に形成され、縦孔４０の拡径部により中間弁７０が配設される中間弁室４１が形成される。
【００４８】
中間弁７０は、棒状で略中央部にくびれ部７４を有しており、くびれ部７４よりも上側には、縦孔４０の小径部と摺動する摺動部７３を有し、下側には、中間弁室４１に突出する弁体部７５を有している。弁体部７５は、摺動部７３よりもやや大径で、かつ中間弁室４１の側壁面との間に環状の間隙が形成される大きさとなっている。
【００４９】
バルブボデー５には、高圧通路１０から分岐して中間弁室４１に通じる高圧分岐通路１１が形成されている。高圧分岐通路１１は、くびれ部７４と縦孔４０との間に形成される外周環状空間４３と常時、連通している。中間弁室４１の側壁面には、中間弁７０が上方に移動したとき、弁体部７５の上側のテーパ部が着座する上側シート４５が形成されている。
【００５０】
縦孔４０の中間弁７０の摺動部７３よりも上側には、中間弁７０の背圧を発生させる中間弁制御室４２が形成されている。中間弁７０には、その内部に外周環状空間４３から中間弁制御室４２へ通じる連通孔７１が形成されている。連通孔７１には、オリフィス７２が設けられている。この連通孔７１により、高圧燃料は、高圧分岐通路１１、連通孔７１を介して中間弁制御室４２に流入する。そして、高圧燃料は、中間弁７０を下方に付勢する。更に、中間弁制御室４２には、第２スプリング７６が配設されている。第２スプリング７６は、常時、中間弁７０を下方に付勢する。
【００５１】
中間弁制御室４２は、第２連通路２６を介して制御弁室５１に通じている。制御弁室５１については後ほど説明する。第２連通路２６は、バルブボデー５の縦孔４０の底部からバルブボデー５の上端面に達する小孔により構成され、途中にオリフィス２７が設けられている。
【００５２】
中間弁室４１が形成されているバルブボデー５と、ノズル弁制御室３２が形成されているノズルボデー７との間に挟まれ、中間弁室４１の下壁、およびノズル弁制御室３２の上壁を形成するディスタンスピース６には、燃料噴射弁の軸方向に貫通する孔が形成されている。その孔は、中間弁室４１とノズル弁制御室３２とを常時、連通する第１連通路２２となっている。第１連通路２２には、途中にオリフィス２３が設けられている。
【００５３】
そして、ディスタンスピース６には、ノズル弁制御室３２から中間弁室４１に流入する高圧燃料をハウジング１の外部へ排出するためのノズル弁制御圧排出通路２０が形成されている。この排出通路２０のハウジング１内の経路については後ほど説明する。排出通路２０の一端は、弁体部７５の下端面に対向する位置で、中間弁室４１に開口している。この開口部は、中間弁７０が下方に移動したとき、弁体部７５の下端面によって閉鎖されるポート４４となっている。弁体部７５の下端面が着座するポート４４の外周縁部が、下側シート４６となっている。排出通路２０には、ポート４４の直下流にオリフィス２３が設けられている。
【００５４】
ホルダ４の下端には、略凹状の縦孔５０が形成されている。縦孔５０の上側には、ソレノイド８０と第３スプリング８４が収容され、その下側には、制御弁８１が収容される。制御弁８１が収容される空間が制御弁室５１となる。
【００５５】
制御弁室５１は、バルブボデー５の上端面を下壁としている空間である。制御弁室５１の下壁には、第２連通路２６が開口しており、この開口部が中間弁制御室４２に通じるポート５３となる。そして、ホルダ４には、中間弁制御室４２から制御弁室５１に流入する高圧燃料をハウジング１の外部へ排出するための中間弁制御圧排出通路２４が形成されている。制御弁室５１は、その周縁部で排出通路２４と常時、連通している。
【００５６】
制御弁８１は、下側に弁体部８３、上側にアーマチャ部８２を有する、断面略Ｔ字の部品である。弁体部８３の先端面は、ポート５３に対向している。ポート５３の外周縁部には、弁体部８３の先端面が着座するシート面５２が形成されている。弁体部８３がシート面５２に着座することにより、中間弁制御室４２と制御弁室５１とが遮断される。
【００５７】
アーマチャ部８２は、ソレノイド８０の磁極面と対向している。そして、アーマチャ部８２には、第３スプリング８４が弾接している。第３スプリング８４は、制御弁８１を常時、下方すなわち弁体部８３がシート面５２に着座する方向に付勢している。
【００５８】
ソレノイド８０は、請求項１に記載のアクチュエータに相当し、例えば筒状のステータにコイルを巻回したものである。図示していないがコイルには、リード線が接続されている。このリード線は、前記制御装置に接続されており、制御装置からの電流がリード線を介してコイルに供給されるようになっている。
【００５９】
コイルに電流が供給されることにより、ソレノイド８０には、第３スプリング８４の付勢力の方向と反対の方向の力（吸引力）が発生する。すると、制御弁８１は、上方に移動させられ、弁体部８３がシート面５２から離座し、中間弁制御室４２と中間弁制御圧排出通路２４とが連通する。
【００６０】
次に、ノズル弁制御圧排出通路２０および中間弁制御圧排出通路２４について説明する。
【００６１】
ノズル弁制御圧排出通路２０は、ディスタンスピース６、バルブボデー５、およびホルダ４に形成され、ノズル弁制御室３２から中間弁室４１に流入する燃料をハウジング１の外部に排出するための通路である。この排出通路２０は、中間弁室４１に形成されているポート４４からホルダ４に形成されている第１排出ポート２１に至るまで、他の弁室（制御弁室５１）を経由することがないように形成されている。第１排出ポート２１は、図示しない燃料タンクに通じる配管に接続されている。
【００６２】
中間弁７０が上方に移動すると、ポート４４が開放する。すると、ノズル弁制御室３２の燃料は、第１連通路２２を通って中間弁室４１に流入する。その後、燃料は、排出通路２０を通ってハウジング１の外部に排出される。これにより、ノズル弁制御室３２の圧力を低下させることができる。第１連通路２２および排出通路２０は、請求項１に記載の第１排出通路に相当する。
【００６３】
一方、中間弁制御圧排出通路２４は、ホルダ４のみに形成され、中間弁制御室４２から制御弁室５１に流入する燃料をハウジング１の外部に排出するための通路である。この排出通路２４は、制御弁室５１に形成されているポート５３からホルダ４に形成されている第２排出ポート２５に至るまで、他の弁室（中間弁室４１）を経由することがないように形成されている。第２排出ポート２５も第１排出ポート２１と同様、図示しない燃料タンクに通じる配管に接続されている。
【００６４】
また、ノズル弁制御圧排出通路２０および中間弁制御圧排出通路２４は、ソレノイド８０を横断する断面において、軸方向に独立して形成されている。
【００６５】
なお、第１、第２排出ポート２１、２５に接続されている前記配管は、途中で併合され、燃料タンクに接続されていても良いし、それぞれの配管が燃料タンクに接続されていても良い。
【００６６】
制御弁８１が上方に移動すると、ポート５３が開放される。すると、中間弁制御室４２の燃料は、第２連通路２６を通って制御弁室５１に流入する。その後、燃料は、排出通路２４を通ってハウジング１の外部に排出される。これにより、中間弁制御室４２の圧力を低下させることができる。第２連通路２６および排出通路２４は、請求項１に記載の第２排出通路に相当する。
【００６７】
次に、ホルダ４に形成されている縦孔５０、ノズル弁制御圧排出通路２０、中間弁制御圧排出通路２４、および高圧通路１０の配置を図２に基づいて説明する。図２は、図１のＩＩ−ＩＩ断面矢視図である。この矢視図は、ホルダ４の下端面１００の平面図となる。
【００６８】
図１に示すように、高圧通路１０は、ホルダ４、バルブボデー５、ディスタンスピース６、およびノズルボデー７を貫通するように形成されている。具体的には、ホルダ４、バルブボデー５、ディスタンスピース６、およびノズルボデー７に形成されている高圧燃料が流通する通路の開口部同士が一致するように、それぞれの部材の端面を当接させ、一つの高圧通路１０としている。
【００６９】
前記それぞれの部材間から高圧燃料が漏れ出ぬよう、各部材の端面に形成されている高圧通路１０の開口部１０６の周囲には、部材の端面同士が当接する面積をある程度確保する必要がある。図２に示すように、ホルダ４の下端面１００には、制御弁８１を収容するための縦孔５０の開口部１０２、ノズル弁制御圧排出通路２０の開口部１０４、中間弁制御圧排出通路２４の開口部１０５および高圧通路１０の開口部１０６が形成されている。このように、ホルダ４の下端面１００には、複数の各種開口部が形成されており、高圧通路１０の開口部１０６の周囲に、漏れを防止するための前記面積を確保することが困難である。
【００７０】
図２に示すように、縦孔５０の開口部１０２は、この開口部１０２の中心１０３がホルダ４の中心軸１０１から所定距離Ｌ０ずれた位置となるように形成されている。そして、高圧通路１０の開口部１０６は、この開口部１０６の中心１０７が、前記中心１０３と前記中心軸１０１とを通る線Ｌ（一点鎖線）上付近に位置するように形成されている。
【００７１】
縦孔５０の開口部１０２の中心１０３を基準に縦孔５０の内壁からホルダ４の外壁までの距離が最大となる部分を検討したとき、前記線Ｌ上の前記内壁から前記外壁までの距離Ｌ１が最も長くなる。この線Ｌ上付近に開口部１０６の中心１０７が位置するように高圧通路１０を形成すれば、高圧通路１０の開口部１０６の周囲に前記面積を最も広く確保することができる。
【００７２】
ノズル弁制御圧排出通路２０の開口部１０４は、前記線Ｌよりも上側に形成され、中間弁制御圧排出通路２４の開口部１０５は、前記線Ｌよりも下側に形成されている。更に、開口部１０４、１０５は、前記線Ｌを対称線として線対称に形成されている。これによれば、前記線Ｌを境に、図中の上側と下側のノズルボデー７と当接する部分の面積がほぼ等しくなるので、高圧通路１０の開口部１０６の周囲の面圧の偏りを可能な限り防ぐことができる。
【００７３】
次に、本実施形態の燃料噴射弁の動作を図３のタイミングチャートに基づき、ノズル弁制御圧排出通路２０および中間弁制御圧排出通路２４を図１に示すように形成としたときの作用および効果を説明する。なお、図３に示すタイミングチャートは、内燃機関が所定の運転状態（例えば、高負荷運転状態）で運転しているときの燃料噴射弁の動作を示したものである。
【００７４】
図３（ａ）は、ソレノイド８０の通電状態を示したものである。図３（ｂ）は、ソレノイド８０を通電制御したときの制御弁８１のリフト量の変化を示したものである。図３（ｃ）は、中間弁制御室４２の圧力状態を示したものである。図３（ｄ）は、中間弁制御室４２の圧力状態に応じて変化する中間弁７０のリフト量の変化を示したものである。図３（ｅ）は、ノズル弁制御室３２の圧力状態を示したものである。図３（ｆ）は、制御弁室５１の圧力状態を示したものである。図３（ｇ）は、ノズル弁制御室３２の圧力状態に応じて変化するノズル弁６０のリフト量の変化を示したものである。図３（ｈ）は、燃料噴射弁より噴射される燃料の噴射率の変化を示したものである。
【００７５】
時刻ｔ１時、ソレノイド８０のコイルに電流が供給されると、ソレノイド８０が制御弁８１のアーマチャ部８２を吸引し、制御弁８１が上方に移動し始める（図３（ａ）、（ｂ）参照）。すると、弁体部８３がシート面５２から離座し、ポート５３が開くので、中間弁制御室４２の高圧燃料が第２連通路２６〜制御弁室５１〜中間弁制御圧排出通路２４という経路で低圧源である燃料タンクに還流し、中間弁制御室４２の圧力が低下する（図３（ｃ）参照）。このとき、制御弁室５１の圧力は、中間弁制御室４２の高圧燃料が第２連通路２６を通じて流入するので、上昇する（図３（ｆ）参照）。
【００７６】
時刻ｔ２時、中間弁制御室４２の圧力が開弁圧力まで低下すると、中間弁７０が上方に移動し始める（図３（ｃ）、（ｄ）参照）。すると、弁体部７５は、下側シート４６から離座するとともに上側シート４５に着座する。これにより、高圧通路１０〜高圧分岐通路１１〜外周環状空間４３〜中間弁室４１〜第１連通路２２という経路が、第１連通路２２〜中間弁室４１〜ノズル弁制御圧排出通路２０という経路に切替り、ノズル弁制御室３２の高圧燃料が、低圧源である燃料タンクに還流し、ノズル弁制御室３２の圧力が低下し始める（図３（ｅ）参照）。
【００７７】
時刻ｔ３時、ノズル弁制御室３２の圧力が開弁圧力まで低下すると、ノズル弁６０が上方に移動し始め、噴孔２８から燃料が噴射される（図３（ｇ）、（ｈ）参照）。
【００７８】
時刻ｔ４時、ソレノイド８０のコイルへの電流の供給が停止されると、第３スプリング８４の付勢力により制御弁８１が下方に移動し始める（図３（ａ）、（ｂ）参照）。すると、弁体部８３がシート面５２に着座し、ポート５３を塞ぐので、高圧燃料が高圧分岐通路１１〜外周環状空間４３〜連通孔７１という経路で中間弁制御室４２に流入し、中間弁制御室４２の圧力が上昇する。このとき、制御弁室５１の圧力は、高圧燃料の流入が停止するため、徐々に低下する（図３（ｆ）参照）。
【００７９】
時刻ｔ５時、中間弁制御室４２の圧力が閉弁圧力まで上昇すると、中間弁７０が下方に移動し始める（図３（ｃ）、（ｄ）参照）。すると、弁体部７５は、上側シート４５から離座するとともに下側シート４６に着座する。
【００８０】
時刻ｔ６時、これにより、第１連通路２２〜中間弁室４１〜ノズル弁制御圧排出通路２０という経路が、高圧通路１０〜高圧分岐通路１１〜外周環状空間４３〜中間弁室４１〜第１連通路２２という経路に切替り、高圧通路１０の高圧燃料が、ノズル弁制御室３２に流入し、ノズル弁制御室３２の圧力が上昇し始める（図３（ｅ）参照）。
【００８１】
時刻ｔ７時、ノズル弁制御室３２の圧力が閉弁圧力まで上昇すると、ノズル弁６０が下方に移動し始め、噴射率が低下し始める。時刻ｔ８時、ノズル弁６０の先端がシート３３に着座すると、噴孔２８からの燃料の噴射が停止する（図３（ｇ）、（ｈ）参照）。
【００８２】
次に、先に出願した燃料噴射弁の動作について説明する。以下、本実施形態と同じ機能を有する部材等は、本実施形態の名称および符号を用いて説明する。先願の燃料噴射弁の構造は、ノズル弁制御圧排出通路２０が制御弁室５１に接続されている点で本実施形態の燃料噴射弁の構造と異なっている。
【００８３】
時刻ｔ１時、ソレノイド８０に電流が供給され、制御弁８１が上方に移動すると、中間弁制御室４２の圧力が低下する。中間弁制御室４２の圧力が開弁圧力まで低下すると、中間弁７０が上方に移動する。中間弁７０が上方に移動すると、ノズル弁制御室３２の圧力は、低下し、ノズル弁６０が上方に移動する。そして、燃料が噴孔２８から噴射される。
【００８４】
噴孔２８から燃料が噴射されるまでの間に、中間弁制御室４２内の燃料が第２連通路２６を介して制御弁室５１に流入し、更に、ノズル弁制御室３２内の燃料もノズル弁制御圧排出通路２０を介して制御弁室５１に流入する。このため、図３（ｆ）の破線で示すように、制御弁室５１の圧力は、本実施形態の状態よりも圧力ΔＰ分、高くなる。
【００８５】
この状態で、ソレノイド８０への電流の供給が停止されると、本実施形態と同様、制御弁８１は第３スプリング８４の付勢力により、閉弁動作を始める（時刻ｔ４参照）。制御弁８１の閉弁特性、言い換えると弁体部８３がシート面５２に着座するまでの時間は、第３スプリング８４の付勢力と制御弁室５１の圧力との関係に依存する。制御弁室５１の圧力が高ければ高いほど、制御弁８１の閉弁動作の妨げとなる力が増し、閉弁までの時間が長くなる（閉弁特性の低下）。この閉弁特性の低下の度合いは、第３スプリング８４の前記付勢力と閉弁動作を妨げる前記力との差が小さくなればなるほど顕著に表れる。
【００８６】
この先願の燃料噴射弁では、本実施形態のものよりも制御弁室５１の圧力が圧力ΔＰ分、高くなるため、制御弁８１がシート面５２に着座するまでの時間が時間ΔＴ分、長くなる（図３（ｂ）、（ｆ）参照）。すると、図３（ｃ）に示すように、中間弁制御室４２の圧力が閉弁圧力に達するまでの時間が時刻ｔ５’まで遅れる（図３（ｃ）参照）。この遅れに伴い中間弁７０の下側シート４６への着座が遅れる（図３（ｄ）参照）。更に、ノズル弁制御室３２の圧力が閉弁圧力に達するまでの時間が時刻ｔ７’まで遅れる（図３（ｅ）参照）。結果、ノズル弁６０のシート３３への着座が時刻ｔ８’まで遅れることとなる（図３（ｇ）、（ｈ）参照）。
【００８７】
制御弁８１の閉弁特性の低下は、第３スプリング８４の付勢力を大きくすれば解消することができるが、このスプリング８４を収容する燃料噴射弁のハウジング１の体格には、これが搭載される内燃機関により限界があり、第３スプリング８４の体格を大きくするにも限界がある。また、体格を大きくした第３スプリング８４の付勢力に打ち勝つだけの吸引力を発生するソレノイド８０もハウジング１に収容しなければならず、この点も考慮に入れて第３スプリング８４の体格を定めなければならない。したがって、第３スプリング８４の体格、言い換えると第３スプリング８４の付勢力は、ハウジング１の体格により、上限が決定されることとなる。
【００８８】
内燃機関の負荷を高くすればするほど、噴射する燃料圧力を高くする必要があり、コモンレールの圧力を上昇させる。それに伴い、燃料噴射弁のノズル弁制御室３２および中間弁制御室４２の圧力も高くなる。先の説明により、第３スプリング８４の付勢力は、ハウジング１の体格により決定されているので、内燃機関の負荷が高くなればなるほど、制御弁８１を閉弁方向に付勢する力と制御弁８１を開弁方向に押す力の差が小さくなり、制御弁８１の閉弁特性が低下する。
【００８９】
本実施形態の燃料噴射弁では、ノズル弁制御圧排出通路２０が制御弁室５１を迂回している構造、言い換えるとノズル弁制御圧排出通路２０が制御弁室５１に接続されていない構造となっているため、制御弁室５１の圧力は、同じ負荷状態では、図３（ｆ）中の実線で示すように先願の燃料噴射弁の制御弁室５１に比べ低くなっている。このため、ソレノイド８０への電流の供給を停止し、制御弁８１を閉弁させるとき、制御弁８１の閉弁動作を妨げる力が先願のものに比べ小さく、第３スプリング８４の付勢力との差が大きくなる。したがって、制御弁８１の閉弁特性の低下を抑制することができる。
【００９０】
具体的に、本実施形態を適用した燃料噴射弁の効果を先願の燃料噴射弁と比較して説明する。高圧通路１０内の圧力が１５０〜２５０ＭＰａ、すなわち、コモンレール圧が１５０〜２５０ＭＰａの場合であって、制御弁８１および中間弁７０が閉弁しているとき、低圧源と連通しているポート４４、ノズル弁制御圧排出通路２０、中間弁制御圧排出通路２４、および制御弁室５１の圧力は、絶対圧で０．１〜０．３ＭＰａとなっている。この状態は、先願の燃料噴射弁であっても、本実施形態の燃料噴射弁であっても同じである。
【００９１】
ところが、先願の燃料噴射弁では、ノズル弁制御圧排出通路２０が制御弁室５１に接続されている構造となっているため、制御弁８１および中間弁７０を開弁させたときの制御弁室５１の圧力ピーク値は、上記絶対圧０．１〜０．３ＭＰａの約１０倍の値を示す。これに対し、本実施形態では、ノズル弁制御圧排出通路２０は制御弁室５１に接続されておらず、中間弁制御圧排出通路２４と独立して形成されているので、制御弁８１および中間弁７０を開弁させたときの制御弁室５１の圧力ピーク値は、上記絶対圧０．１〜０．３ＭＰａの約２倍程度にとどめることができる。
【００９２】
上述したように、本実施形態では、先願のものと比べ、制御弁８１および中間弁７０を開弁させたときの制御弁室５１の圧力ピーク値を格段に小さくすることができる。このことは、制御弁８１の閉弁動作を妨げる力を先願のものと比べ小さくすることができることを意味する。よって、本実施形態では、先願のものと比べ、制御弁８１の閉弁特性の低下を抑制することができる。
【００９３】
本実施形態の燃料噴射弁では、中間弁制御圧排出通路２４も中間弁室４１を迂回している構造、言い換えると中間弁制御圧排出通路２４が中間弁室４１に接続されていない構造となっているため、中間弁室４１の圧力は、制御弁室５１と同様、先願の燃料噴射弁の中間弁室４１に比べ低くなっている。したがって、中間弁７０の閉弁特性の低下も抑制することができる。
【００９４】
本実施形態の燃料噴射弁の制御弁室、中間弁制御室、中間弁室、ノズル弁制御室に相当する各室がハウジングの長手方向に向けて１列に並んで配置されている形式の従来技術の燃料噴射弁においては、上記制御弁室と上記中間弁室とが最短距離にて連通されている。また、この連通は、距離が短いため流路の容積も必然的に小さくなる。
【００９５】
このように制御弁室と中間弁室とを連通させると、連通の距離や容積の関係から、一方の弁室からもう一方への弁室への脈動圧の伝達強度が、各弁室に収容される弁の動作に影響を与えるぐらいの大きさとなってしまう。
【００９６】
これに対し、本実施形態の燃料噴射弁においては、ハウジング１の長手方向に向けて１列に、制御弁室５１、中間弁制御室４２、中間弁室４１、ノズル弁制御室３２は、ハウジング１の長手方向に向けて１列に並んで配置され、かつ、ノズル弁制御圧排出通路２０と中間弁制御圧排出通路２４がソレノイド８０を横断する断面において、軸方向に独立して形成されている。
【００９７】
このため、本実施形態の燃料噴射弁では、上記従来技術の燃料噴射弁に比べ、制御弁室５１と中間弁室４１とを連通する通路（排出通路２０と排出通路２４）の距離および容積を大きくすることができ、各弁室５１、４１に収容されている弁８１、７０の閉弁特性の低下を抑制することができる。
【００９８】
また、本実施形態の燃料噴射弁は、先願の燃料噴射弁に比べ、ソレノイド８０への電流供給停止からノズル弁６０の閉弁までの時間を短くすることができるので、噴射時間を極力短くすることができ、微少噴射量制御特性を向上させることができる。
【００９９】
更にまた、本実施形態の燃料噴射弁は、先願の燃料噴射弁に比べ、ソレノイド８０への電流供給停止からノズル弁６０の閉弁までの時間を短くすることができるので、噴射から次の噴射までの時間間隔を短くすることができる。これにより、マルチ噴射の噴射制御特性を向上させることができる。
【０１００】
本発明の別の観点から見れば、本実施形態の燃料噴射弁では、制御弁８１の閉弁動作を妨げる力が先願の燃料噴射弁に比べ小さくなるので、第３スプリング８４の力を小さくする、すなわち第３スプリング８４の体格を小さくすることができる。これにより、ハウジング１の体格を小さくすることができ、内燃機関への搭載性が向上するという格別の効果が得られる。
【０１０１】
また、図４に示すように、ホルダ部２の第１、第２排出ポート２１、２５が形成されている部位に、第１、第２排出ポート２１、２５が覆いかぶせられるような排出通路アダプタ９０を設けても良い。この略円柱状の排出通路アダプタ９０は、第１、第２排出ポート２１、２５と向かい合う端部に、凹部９１が形成されており、各ポート２１、２５から排出された燃料が合流するようになっている。
【０１０２】
そして、排出通路アダプタ９０のもう一方の端部には、凹部９１の底部と連通する排出通路９２が形成されている。この排出通路９２は、図示しない燃料タンクに通じる配管に接続されている。このアダプタ９０は、例えば、凹部９１の内壁、およびホルダ部２に形成されたねじ部によって、ホルダ部２に螺合されている。
【０１０３】
このアダプタ９０をホルダ部２に嵌めることにより、第１、第２排出ポート２１、２５にそれぞれ燃料タンクへ接続するための配管を接続する場合に比べ、燃料噴射弁から燃料タンクへ燃料を還流する配管の数の増加を抑制することができる。
【０１０４】
（第２実施形態）
次に、本発明の第２実施形態を図５に基づいて説明する。なお、第１実施形態と同一機能物は、同一名称、符号を付す。ここでは、第１実施形態と相違する特徴点のみ説明する。図５は、本発明を適用した第２実施形態となる燃料噴射弁の断面図である。
【０１０５】
この燃料噴射弁の特徴点は、ノズル弁制御圧排出通路２０が、制御弁室５１の下流側に位置する中間弁制御圧排出通路２４と併合点２９で併合されている点である。この併合点２９は、互いの排出通路２０、２４を流通する燃料の圧力が他方の排出通路２４、２０を流通する燃料の圧力に影響を与えない、もしくは影響が小さくなるような位置に設けられる。例えば、ホルダ４の上方、好ましくは、ソレノイド８０よりも上方に設けられる。ホルダ４の上方には、燃料が流通する通路を比較的自由に設けることができる場所があるからである。なお、この併合点２９の位置は、実験やシミュレーション等を用いて前記考え方に基づいて定めればよい。燃料噴射弁のハウジング１から燃料タンクへ燃料を還流するための配管は、一つの燃料噴射弁に付き一つの配管を設ければよいので、燃料系統が煩雑になることを防止することができる。
【０１０６】
好ましくは、図５に示すように、併合点２９よりも上流側であり、かつ中間弁制御圧排出通路２４の途中にこの排出通路２４の流路径よりも径が大きい容積室１１０を設けると良い。この容積室１１０は、ノズル弁制御圧排出通路２０の途中に設けても勿論良い。この構成により、一方の排出通路２０、２４を流通する燃料の圧力が他方の排出通路２４、２０を流通する燃料の圧力に与える影響がより小さくなる。
【０１０７】
また、容積室１１０に代えて、中間弁制御圧排出通路２４の途中にこの排出通路２４の流路径よりも径が小さいオリフィス１１１を設けても良い。このオリフィス１１１は、ノズル弁制御圧排出通路２０の途中に設けても勿論良い。また、図５に示すように、このオリフィス１１１は、容積室１１０の入口もしくは出口部分に設けても良い。
【０１０８】
また、図５に示すように、両排出通路２０、２４をホルダ４の上方で併合させるとき、ホルダ４の下端面に形成する両排出通路２０、２４を図６に示すような配置としても良い。図６は、図２に対応する図であり、ホルダ４の下端面１００の平面図である。
【０１０９】
縦孔５０と高圧通路１０の配置は、図２と同じであるため、ここでは説明は省略する。ここでは、両排出通路２０、２４の開口部１０４、１０５の配置のみについて説明する。図６に示すように、開口部１０４、１０５は、図２で説明した線Ｌよりも上側に配置されている。これにより、図５に示すように、両排出通路２０、２４を併合させるときなど、両排出通路２０、２４のホルダ４内での取り回しを容易にすることができる。両排出通路２０、２４は、前記線Ｌよりも下側に配置するようにしても勿論良い。
【０１１０】
第１、第２実施形態のようなノズル弁６０、中間弁７０、制御弁８１をハウジング１の軸方向に並べて配置する形式の燃料噴射弁において、ノズル弁制御圧排出通路２０および中間弁制御圧排出通路２４は、少なくともソレノイド８０もしくは制御弁８１を横断する断面において、軸方向に独立して形成されている。これにより、第２実施形態のようにハウジング１内で両排出通路２０、２４を併合するようにしても、互いの排出通路２０、２４を流通する燃料の圧力が他方の排出通路２４、２０を流通する燃料の圧力に影響を与えない、もしくは影響が小さくすることができるほどの長さを確保することができる。結果、中間弁７０、制御弁８１の閉弁特性の低下を抑制することができる。
【図面の簡単な説明】
【０１１１】
【図１】本発明を適用した第１実施形態となる燃料噴射弁の断面図である。
【図２】図１のＩＩ−ＩＩ断面矢視図である。
【図３】本実施形態の燃料噴射弁の動作を示すタイミングチャートである。
【図４】第１実施形態となる燃料噴射弁の要部拡大断面図である。
【図５】本発明を適用した第２実施形態となる燃料噴射弁の断面図である。
【図６】第２実施形態の燃料噴射弁のホルダの下端面の平面図である。
【符号の説明】
【０１１２】
１            ハウジング
２            ホルダ部
３            ノズル部
４            ホルダ
５            バルブボデー
６            ディスタンスピース
７            ノズルボデー
８            リテーニングナット
１０          高圧通路（高圧通路）
１１          高圧分岐通路
２０          ノズル弁制御圧排出通路（第１排出通路）
２１          第１排出ポート
２２          第１連通路（第１排出通路）
２３          オリフィス
２４          中間弁制御圧排出通路（第２排出通路）
２５          第２排出ポート
２６          第２連通路（第２排出通路）
２７          オリフィス
２８          噴孔
２９          併合点
３０          縦孔
３１          ノズル室
３２          ノズル弁制御室
４１          中間弁室
４２          中間弁制御室
４３          外周環状空間
４５          上側シート
４６          下側シート
５１          制御弁室
６０          ノズル弁
６１          第１スプリング
７０          中間弁
７６          第２スプリング
８０          ソレノイド（アクチュエータ）
８１          制御弁
８４          第３スプリング
９０          排出通路アダプタ
９１          凹部
９２          排出通路
【図１】
0004483828.tif 000002
【図２】
0004483828.tif 000003
【図３】
0004483828.tif 000004
【図４】
0004483828.tif 000005
【図５】
0004483828.tif 000006
【図６】
0004483828.tif 000007